(57)【要約】【課題】  構造が簡単で、多様な製品に使用することができる蝶番を提供する。【解決手段】位置決め端と、回動部とを具えてなり、該位置決め端が開閉自在に接続する製品に固定接続する軸体と、一端に軸方向に形成された溝を具えてなり、該回動部を挿入して緊密に接続するスリーブと、一端をスリーブの外周面上の適宜な位置に固定接続してなる接続部材とを含んでなり、２つの製品の接続端の側辺に設ける。【選択図】図３
0003124492.tif 000002
【実用新案登録請求の範囲】
【請求項１】
位置決め端と、回動部とを具えてなり、該位置決め端が開閉自在に接続する製品に固定接続する軸体と、
一端に軸方向に形成された溝を具えてなり、該回動部を挿入して緊密に接続するスリーブと、
一端をスリーブの外周面上の適宜な位置に固定接続してなる接続部材とを含んでなり、
２つの製品の接続端の側辺に設けることを特徴とする蝶番。
【請求項２】
前記接続部材がＬ字状もしくはＴ字状に形成されることを特徴とする請求項１に記載の蝶番。
【請求項３】
前記接続部材がＬ字状に形成され、スリーブに接続する一端に下方に延伸した凸片を形成し、スリーブが摺動面に固定接続されることを特徴とする請求項１に記載の蝶番。
【請求項４】
前記接続部材がベースと、接続ブロックとを含んでなり、該ベースが開閉自在に接続する製品に固定して設けられ、表面に溝が形成され、接続ブロックの表面がスリーブと固定接続し、接続ブロックの底面の側辺に突起が形成され、該突起をベースの溝に挿入して固定し、スリーブと接続部材とを一体になるように緊密に接続することを特徴とする請求項１に記載の蝶番。
【請求項５】
前記接続部材がベースと接続ブロックとを含んでなり、
該ベースは開閉自在に接続する製品に固定して設け、表面に凸部を形成し、長手方向に垂直な側面に貫通孔を形成し、
該接続ブロックは略コの字状になるように形成し、両端面に該ベースの凸部に形成された貫通孔に対応するように貫通孔を形成し、
該接続ブロックの表面とスリーブとを固定接続する場合、該接続ブロックの底面を該凸部の上方に被覆するように設けるとともに、接続ブロックの両端と凸部に対応するように形成された貫通孔を合わせて、ピンを貫通孔に挿入して接続ブロックとベースとを固定し、スリーブと接続部材とを一体になるように緊密に接続することを特徴とする請求項１に記載の蝶番。
【請求項６】
前記軸体の位置決め端が軸座に接続し、該軸座が開閉自在に接続する製品に固定して設けられることを特徴とする請求項１に記載の蝶番。
【請求項７】
前記軸体の位置決め端が少なくとも１以上の切断面を具えてなり、軸座の上方側面の軸座の位置決め端に対応する位置に貫通孔を形成し、該位置決め端を貫通孔に挿入して位置決めし、軸座を開閉自在に接続する製品に固定して設けることを特徴とする請求項１から６に記載の蝶番。
【請求項８】
前記軸体の位置決め端が少なくとも１以上の切断面を具えてなり、アームの一端の位置決め端に対応する位置に貫通孔を形成し、位置決め端を貫通孔に貫通させて固定して接続し、アームを開閉自在に接続する製品に固定して設けることを特徴とする請求項１に記載の蝶番。
【請求項９】
前記接続部材の一端が筒状の筒座に形成され、スリーブを筒座内部に挿入して固定接続し、軸体の回動部をスリーブに挿入して緊密な状態に接続し、接続部材を開閉自在に接続する製品に固定接続することを特徴とする請求項１に記載の蝶番。
【請求項１０】
前記接続部材が略管状を呈するように形成するとともに両端縁部に筒座を形成し、一端に形成された筒座の内部にスリーブと軸体の回動部を挿入して固定接続し、他端の筒座にスリーブを挿入して固定接続し、別の軸体の回動部をスリーブに挿入して筒座の内部に緊密に位置決めし、該接続部材を開閉自在に接続する製品に固定して設けることを特徴とする請求項１に記載の蝶番。
【請求項１１】
前記接続部材がＴ字状の管体を呈し、両端縁部にそれぞれ筒座が形成されて開閉自在に接続する製品に固定して設けられ、該筒座の内部にスリーブを挿入して固定し、軸体の回動部を該スリーブに挿入して緊密に接続することを特徴とする請求項１に記載の蝶番。
【請求項１２】
前記接続部材が板状に形成され、両端縁部にスリーブを固定接続し、該スリーブに対応して軸体を設け、該軸体の回動部をスリーブに挿入して緊密に接続することを特徴とする請求項１に記載の蝶番。
【請求項１３】
前記接続部材がＴ字型の板状に形成され、両端の側面にスリーブを固定して接続し、該スリーブに対応して軸体を設け、該軸体の回動部をスリーブに挿入して緊密に接続することを特徴とする請求項１に記載の蝶番。
【考案の詳細な説明】
【技術分野】
【０００１】
この考案は、蝶番に関し、特にコンピュータや電子設備などを開閉もしくは回動自在に接続するために供する蝶番に関する。
【背景技術】
【０００２】
蝶番は、コンピュータ（ノートブック型コンピュータ、液晶表示器、プラットホーム型コンピュータ）もしくは電子通信設備（携帯電話、翻訳機、個人用の携帯情報端末、デジタルカメラなど）などの製品に幅広く応用されている。前述の製品ではモニタとキーボードなど２つの製品を開閉自在に接続し、開閉機能をもたせるために蝶番を利用している。
【０００３】
この考案の出願人は過去に中華民国特許第９０２０９１１９号（図１、２参照）を出願している。図面によれば、この考案は、位置決め軸１０と、回転軸１１と、該位置決め軸１０と回転軸１１との間に設けられた調整ユニット１２などとを含んでなる。該調整ユニット１２は、対向する端縁部が外方向に突出して延伸した翼状を呈する複数のパッド１３と、固定パッド１４とを含んでなり、該パッド１３と固定パッド１４とを緊密に連結して組み合わせて形成する。該回転軸１１が回転すると、パッド１３と固定パッド１４の緊密な連結による摩擦力で抵抗力が発生し、接続された製品が開閉するとともに、適宜な位置で位置決めされる。
【０００４】
上述の考案は便利で、長期間使用することができるが、構造が複雑で、コストが高い。また、別の製品同士を接続する場合、位置決め軸１０と回転軸１１の形状や構造により使用が制限される。
【考案の開示】
【考案が解決しようとする課題】
【０００５】
この考案は、構造が簡単で、多様な製品に使用することができる蝶番を提供することを課題とする。
【課題を解決するための手段】
【０００６】
そこで本考案者は、従来の技術に鑑み鋭意研究を重ねた結果、位置決め端と、回動部とを具えてなり、該位置決め端が開閉自在に接続する製品に固定接続する軸体と、一端に軸方向に形成された溝を具えてなり、該回動部を挿入して緊密に接続するスリーブと、一端をスリーブの外周面上の適宜な位置に固定接続してなる接続部材とを含んでなり、２つの製品の接続端の側辺に設ける構造によって課題を解決できる点に着眼し、係る知見に基づき本考案を完成させた。
以下、この考案について具体的に説明する。
【０００７】
請求項１に記載の蝶番は、位置決め端と、回動部とを具えてなり、該位置決め端が開閉自在に接続する製品に固定接続する軸体と、一端に軸方向に形成された溝を具えてなり、該回動部を挿入して緊密に接続するスリーブと、一端をスリーブの外周面上の適宜な位置に固定接続してなる接続部材とを含んでなり、２つの製品の接続端の側辺に設ける。
【０００８】
請求項２に記載の蝶番は、請求項１における接続部材がＬ字状もしくはＴ字状に形成される。
【０００９】
請求項３に記載の蝶番は、請求項１における接続部材がＬ字状に形成され、スリーブに接続する一端に下方に延伸した凸片を形成し、スリーブが摺動面に固定接続される。
【００１０】
請求項４に記載の蝶番は、請求項１における接続部材がベースと、接続ブロックとを含んでなり、該ベースが開閉自在に接続する製品に固定して設けられ、表面に溝が形成され、接続ブロックの表面がスリーブと固定接続し、接続ブロックの底面の側辺に突起が形成され、該突起をベースの溝に挿入して固定し、スリーブと接続部材とを一体になるように緊密に接続する。
【００１１】
請求項５に記載の蝶番は、請求項１における接続部材がベースと接続ブロックとを含んでなり、該ベースは開閉自在に接続する製品に固定して設け、表面に凸部を形成し、長手方向に垂直な側面に貫通孔を形成し、該接続ブロックは略コの字状になるように形成し、両端面に該ベースの凸ブに形成された貫通孔に対応するように貫通孔を形成し、該接続ブロックの表面とスリーブとを固定接続する場合、該接続ブロックの底面を該凸部の上方に被覆するように設けるとともに、接続ブロックの両端と凸部に対応するように形成された貫通孔を合わせて、ピンを貫通孔に挿入して接続ブロックとベースとを固定し、スリーブと接続部材とを一体になるように緊密に接続する。
【００１２】
請求項６に記載の蝶番は、請求項１における軸体の位置決め端が軸座に接続し、該軸座が開閉自在に接続する製品に固定して設けられる。
【００１３】
請求項７に記載の蝶番は、請求項１から６における軸体の位置決め端が少なくとも１以上の切断面を具えてなり、軸座の上方側面の軸座の位置決め端に対応する位置に貫通孔を形成し、該位置決め端を貫通孔に挿入して位置決めし、軸座を開閉自在に接続する製品に固定して設ける。
【００１４】
請求項８に記載の蝶番は、請求項１における軸体の位置決め端が少なくとも１以上の切断面を具えてなり、アームの一端の位置決め端に対応する位置に貫通孔を形成し、位置決め端を貫通孔に貫通させて固定して接続し、アームを開閉自在に接続する製品に固定して設ける。
【００１５】
請求項９に記載の蝶番は、請求項１における接続部材の一端が筒状の筒座に形成され、スリーブを筒座内部に挿入して固定接続し、軸体の回動部をスリーブに挿入して緊密な状態に接続し、接続部材を開閉自在に接続する製品に固定接続する。
【００１６】
請求項１０に記載の蝶番は、請求項１における接続部材が略管状を呈するように形成するとともに両端縁部に筒座を形成し、一端に形成された筒座の内部にスリーブと軸体の回動部を挿入して固定接続し、他端の筒座にスリーブを挿入して固定接続し、別の軸体の回動部をスリーブに挿入して筒座の内部に緊密に位置決めし、該接続部材を開閉自在に接続する製品に固定して設ける。
【００１７】
請求項１１に記載の蝶番は、請求項１における接続部材がＴ字状の管体を呈し、両端縁部にそれぞれ筒座が形成されて開閉自在に接続する製品に固定して設けられ、該筒座の内部にスリーブを挿入して固定し、軸体の回動部を該スリーブに挿入して緊密に接続する。
【００１８】
請求項１２に記載の蝶番は、請求項１における接続部材が板状に形成され、両端縁部にスリーブを固定接続し、該スリーブに対応して軸体を設け、該軸体の回動部をスリーブに挿入して緊密に接続する。
【００１９】
請求項１３に記載の蝶番は、請求項１における接続部材がＴ字型の板状に形成され、両端の側面にスリーブを固定して接続し、該スリーブに対応して軸体を設け、該軸体の回動部をスリーブに挿入して緊密に接続する。
【考案の効果】
【００２０】
この考案の蝶番は、構造が簡単なため、製造コストを抑えることができるとともに、組み立てにかかる作業時間を減らすことができるとともに、多様な製品に応用できるため実用的であるという効果を有する。
【考案を実施するための最良の形態】
【００２１】
この考案は、構造が簡単で、多様な製品に使用することができる蝶番であって、位置決め端と、回動部とを具えてなり、該位置決め端が開閉自在に接続する製品に固定接続する軸体と、一端に軸方向に形成された溝を具えてなり、該回動部を挿入して緊密に接続するスリーブと、一端をスリーブの外周面上の適宜な位置に固定接続してなる接続部材とを含んでなり、２つの製品の接続端の側辺に設ける。
係る構成の蝶番について、その構造と特徴を詳述するために具体的な実施例を挙げ、以下に説明する。
【実施例】
【００２２】
図３、３Ａは、この考案の蝶番の実施例を開示したものである。図面によれば、この考案の蝶番は、開閉自在に接続する製品の２つの部材Ｔ１、Ｔ２の接続端の対向する側面に設け、軸体２と、スリーブ３と、接続部材４とを含んでなる。該軸体２は、位置決め端２１と回動部２２とを具えてなる。該位置決め端２１は、開閉自在に接続する製品の部材Ｔ１に固定する。該スリーブ３は外周面上の軸方向に溝３１を形成する。該回動部２２をスリーブ３に挿入して緊密に接続し、接続部材４をもう一方の部材Ｔ２に固定して設ける。接続部材４は一端がスリーブ３の外周面上の溝３１に対向する側面の予め決められた位置に固定して接続される。
【００２３】
上述の構造により、該位置決め端２１と接続部材４がそれぞれ製品の部材Ｔ１、Ｔ２に固定して設けられ、且つ回動部２２とスリーブ３が緊密に接続されて、部材Ｔ１、Ｔ２が互いに回動して開閉する機能を有する。また、実際に組み合わせる場合、スリーブ３と回動部２２の接続部分の緊密さを調節して抵抗力を変えてコンピュータもしくは電子設備などの製品の開閉具合の需要に合わせる。
【００２４】
また、異なる製品もしくは使用する場所における需要に合わせるため、この考案の位置決め端２１と接続部材４は異なる型式に形成してもよい。
【００２５】
図３Ｂ、３Ｃは、この考案の接続部材をＬ字型もしくはＴ字型に形成した場合を開示したものである。図面によれば、該接続部材４ａをＬ字状に形成する場合、スリーブ３に接続する接続部材４ａの端縁部に下方向に延伸した凸片４１ａを形成し、スリーブ３を凸片４１ａ上に固定接続する。よって、スリーブ３を簡単に接続部材４ａと組み合わせることができ、且つ接続部材４ａの回転する軸線とスリーブ３を一方が回動する時に他方が固定するように設けることができる。また、接続部材４ｂをＴ字型に形成する場合、開閉自在に接続する製品の上に直接固定して接続するため、簡単に組み合わることができるとともに、接続部材を安定して設けることができるという効果を具えてなる。
【００２６】
図３Ｄ、３Ｅは、この考案の接続部材の他の実施例を示したものである。図面によれば、接続部材４ｃは、ベース４１ｃと、接続ブロック４２ｃとを含んでなる。該ベース４１ｃは、開閉自在に接続する製品の部材Ｔ１に固定して設けられ、上面に溝４３ｃが形成される。該接続ブロック４２ｃは、上面がスリーブ３に固定して接続し、底面端縁部には水平方向に延伸した突起４４ｃが設けられる。該突起４４ｃは溝４３ｃに嵌合して固定し、スリーブ３と接続部材４ｃを一体になるように緊密に接続する。開閉自在に接続する製品の部材Ｔ１、Ｔ２はそれぞれ、接続部材４ｃ及び軸体２の位置決め端２１に固定して設けられ、開閉自在に接続される。
【００２７】
図３Ｆ、３Ｇに、この考案の接続部材のその他の実施例を示したものである。図面によれば、接続部材４ｄは、図３Ｄと類似した形状に形成される。該接続部材４ｄは、ベース４１ｄと、接続ブロック４２ｄとを含んでなる。該ベース４１ｄは、開閉自在に接続する製品の部材Ｔ１に固定して設けられ、上面に凸部４３ｄを形成する。該接続ブロック４２ｄは、略コ状を呈するように形成され、表面がスリーブ３に固定して接続し、底面が凸部４３ｄの上方に嵌合して被覆するように設ける。また、接続ブロック４２ｄと凸部４３ｄの長手方向に垂直な両端面にはそれぞれ貫通孔が形成され、ピン４４ｄを貫通孔に挿入して接続ブロック４２ｄとベース４１ｄを固定し、スリーブ３と接続部材４ｄとを一体になるように緊密に接続し、部材Ｔ１、Ｔ２を開閉自在に接続する。
【００２８】
また、この考案の位置決め端２１は、開閉自在に接続する製品の表面に直接固定して接続する以外に、下記の実施例のように形成して開閉自在に接続してもよい。
【００２９】
図４、４Ａに開示するように、接続部材４、４ａ、４ｂは、Ｌ字状か、もしくはＴ字状を呈するように形成する。軸体２ａの位置決め端２１ａは、少なくとも１以上の切断面２２ａを具えてなる。また、軸座２３ａは上方側面の軸体２ａの位置決め端２１ａに対応する位置に貫通孔２４ａを形成する。該位置決め端２１ａを貫通孔２４ａに挿入して位置決めする。軸座２３ａと接続部材４、４ａ、４ｂをそれぞれ部材Ｔ１、Ｔ２に固定して設ける。このように、この考案は簡単に組み合わせることができ、且つ軸座２３ａと部材Ｔ１を強固に接続することができる。
【００３０】
図５、５Ａに開示するように、該軸体２ｂの位置決め端２１ｂは、少なくとも１以上の切断面２２ｂを具えてなる。該アーム２３ｂは一端に位置決め端２１ｂに対応した孔２４ｂが形成され、位置決め端２１ｂを孔２４ｂに貫通して固定接続し、アーム２３ｂを開閉自在に接続する製品の部材Ｔ２に固定して設けると、部材Ｔ２が支持され、開閉する場合に部材を押し動かすことができる。
【００３１】
図６、６−１は、この考案の接続部材の他の形態を開示したものである。
【００３２】
図面によれば、接続部材５は、一端に筒座５１を形成してなる。該スリーブ３を筒座５１の内部に固定して接続し、軸体２の回動部２２をスリーブ３に挿入して緊密に接続し、接続部材５を開閉自在に接続する部材に固定して設ける。該スリーブ３と接続部材５の筒座５１が固定して接続し、且つそれぞれが部材Ｔ１、Ｔ２に位置決めされているため、大幅に空間を節減することができるとともに、組み立てが便利である。
【００３３】
図６Ａ、６Ｂに開示するように、この実施例では接続部材５ａを略管状に形成し、端縁部に筒座５１ａ、５２ａを形成する。該スリーブ３と軸体２の回動部２２を一端の筒座５１ａに挿入して固定接続する。他端の筒座５２ａにはスリーブ３ａを挿入して固定接続する。該スリーブ３ａは溝３１ａを形成し、もう一方の軸体２の回動部２２をスリーブ３ａに挿入して接続し筒座５２ａに位置決めし、接続部材５ａを開閉自在に接続する部材Ｔ１に固定して設けて、２つの部材Ｔ１、Ｔ２を開閉自在に接続することができ、特に携帯電話もしくは個人用の携帯情報端末などに使用するために適している。
【００３４】
図６Ｃ、６Ｄに開示するように、この実施例では接続部材５ｂをＴ字状の管体に形成し、開閉して接続する製品の部材に固定して設ける。該接続部材５ｂは端縁部及び管体の略中間に形成された筒座５１ｂ、５２ｂ、５３ｂを形成する。該筒座５１ｂ、５２ｂ、５３ｂは内部に溝３１、３１ａ、３１ｂを具えたスリーブ３、３ａ、３ｂとを固定して設ける。軸体２の回動部２２をスリーブ３、３ａ、３ｂに挿入して緊密に接続する。
【００３５】
上述の構造により開閉自在に接続する製品の部材Ｔ１、Ｔ２を垂直、水平方向に回動させることができるため、特にプラットホーム型のコンピュータへの使用に適している。
【００３６】
図７は、この考案の接続部材を直線状の管体に形成した実施例を開示したものである。図面によれば、該接続部材６は、板状に形成し、両端縁部の側面にスリーブ３、３ａに固定して接続し、該スリーブ３、３ａに対応して軸体２を設ける。該接続部材６を開閉自在に接続する製品の部材に固定して設けて、軸体２の回動部２２をスリーブ３、３ａに挿入して緊密に接続し、直線状の管体に形成した接続部材が他の接続部材と同じ効果を有する。
【００３７】
図８に開示するように、この実施例では接続部材をＴ字の板状に形成する。図面によれば、接続部材７はＴ字の板状に形成し、両端縁部及び上方に突出した側面にスリーブ３、３ａ、３ｂを固定して接続する。該スリーブ３、３ａ、３ｂに軸体２の回動部２２を挿入して緊密に接続して、Ｔ字状の管体に形成した場合と同様の効果を有する。
【００３８】
以上は、この考案の好ましい実施例であって、この考案の実施の範囲を限定するものではない。よって、当業者のなし得る修正、もしくは変更であって、この発明の精神の下においてなされ、この発明に対して均等の効果を有するものは、いずれもこの考案の実用新案請求の範囲に属するものとする。
【図面の簡単な説明】
【００３９】
【図１】従来の蝶番を示した分解図である。
【図２】図１に開示する蝶番を示した斜視図である。
【図３】この考案の蝶番を示した説明図である。
【図３Ａ】図３に開示した蝶番を使用した状態を示した説明図である。
【図３Ｂ】この考案の蝶番の接続部材に凸片を形成した場合を示した説明図である。
【図３Ｃ】この考案の蝶番の接続部材をＴ字状に形成した場合を示した説明図である。
【図３Ｄ】この考案の蝶番の接続部材をベースと接続ブロックから形成した場合を示した説明図である。
【図３Ｅ】図３Ｄに開示した蝶番を使用した状態を示した説明図である。
【図３Ｆ】この考案の蝶番の接続部材をベースと接続ブロックから形成した場合の他の実施例を示した説明図である。
【図３Ｇ】図３Ｆに開示した蝶番を使用した状態を示した説明図である。
【図４】この考案の蝶番の軸体の位置決め端と軸座をＬ字もしくはＴ字状に形成した場合を示した説明図である。
【図４Ａ】図４に開示した蝶番を使用した状態を示した説明図である。
【図５】この考案の蝶番の軸体の位置決め端にアームを接続した状態を示した説明図である。
【図５Ａ】図５に開示した蝶番を使用した状態を示した説明図である。
【図６】この考案の蝶番の接続部材に筒座を形成した状態を示した説明図である。
【図６−１】図６に開示した蝶番を使用した状態を示した説明図である。
【図６Ａ】この考案の蝶番の接続部材を管体に形成した場合を示した説明図である。
【図６Ｂ】図６Ａに開示した蝶番を使用した状態を示した説明図である。
【図６Ｃ】この考案の蝶番の接続部材をＴ字状の管体に形成した場合を示した説明図である。
【図６Ｄ】図６Ｃに開示した蝶番を使用した状態を示した説明図である。
【図７】この考案の蝶番の接続部材を直線状の管体に形成した場合の他の実施例を示した説明図である。
【図８】この考案の蝶番の接続部材をＴ字状に形成した場合の他の実施例を示した説明図である。
【符号の説明】
【００４０】
１０      位置決め軸
１１      回転軸
１２      調整ユニット
１３      パッド
１４      固定パッド
２        軸体
２ａ      軸体
２ｂ      軸体
２１      位置決め端
２１ａ    位置決め端
２１ｂ    位置決め端
２２      回動部
２２ａ    切断面
２２ｂ    切断面
２３ａ    軸座
２３ｂ    アーム
２４ａ    貫通孔
２４ｂ    孔
３        スリーブ
３ａ      スリーブ
３ｂ      スリーブ
３１      溝
３１ａ    溝
３１ｂ    溝
４        接続部材
４ａ      接続部材
４ｂ      接続部材
４ｃ      接続部材
４ｄ      接続部材
４１ａ    凸片
４１ｃ    ベース
４１ｄ    ベース
４２ｃ    接続ブロック
４２ｄ    接続ブロック
４３ｃ    溝
４３ｄ    凸部
４４ｃ    突起
４４ｄ    ピン
５        接続部材
５ａ      接続部材
５ｂ      接続部材
５１      筒座
５１ａ    筒座
５２ａ    筒座
５１ｂ    筒座
５２ｂ    筒座
５３ｂ    筒座
６        接続部材
７        接続部材
Ｔ１      部材
Ｔ２      部材
【図１】
0003124492.tif 000003
【図２】
0003124492.tif 000004
【図３】
0003124492.tif 000005
【図３Ａ】
0003124492.tif 000006
【図３Ｂ】
0003124492.tif 000007
【図３Ｃ】
0003124492.tif 000008
【図３Ｄ】
0003124492.tif 000009
【図３Ｅ】
0003124492.tif 000010
【図３Ｆ】
0003124492.tif 000011
【図３Ｇ】
0003124492.tif 000012
【図４】
0003124492.tif 000013
【図４Ａ】
0003124492.tif 000014
【図５】
0003124492.tif 000015
【図５Ａ】
0003124492.tif 000016
【図６】
0003124492.tif 000017
【図６−１】
0003124492.tif 000018
【図６Ａ】
0003124492.tif 000019
【図６Ｂ】
0003124492.tif 000020
【図６Ｃ】
0003124492.tif 000021
【図６Ｄ】
0003124492.tif 000022
【図７】
0003124492.tif 000023
【図８】
0003124492.tif 000024